(57)【特許請求の範囲】
【請求項１】
印刷媒体を収納し、夫々が異なるカセット識別情報を有する識別部を備えてなる複数種類のカセットのうちの１つのカセットが装着されるカセット装着手段と、
前記カセット装着手段に装着されたカセットの前記識別部からカセット識別情報を検出する検出手段と、
印刷すべき任意の文字情報及び登録すべき任意の付加文字情報を入力する入力手段と、
情報を記憶する記憶手段と、
前記入力手段から入力された登録すべき任意の付加文字情報を前記記憶手段に登録する登録手段と、
前記入力手段から入力された印刷すべき任意の文字情報に対して印刷が指示されると、前記検出手段によって検出されたカセット識別情報に対応して登録されている付加文字情報を前記記憶手段から読み出す読出し手段と、
前記読出し手段によって前記記憶手段から読み出された付加文字情報を前記入力手段から入力された前記印刷すべき任意の文字情報に付加して印刷する印刷手段と、
を備えたことを特徴とする印刷装置。
【請求項２】
前記登録手段によって前記記憶手段に付加文字情報の登録を行う際に、既に特定のカセット識別情報に対応して付加文字上方が登録されている場合、前記登録手段は、登録すべき付加文字情報を既に登録されている付加文字情報に上書きして登録することを特徴とする請求項１に記載の印刷装置。
【発明の詳細な説明】
【０００１】
【発明の属する技術分野】
本発明は、テーププリンタ等、カセットに内蔵される印刷媒体に対して印刷を施す印刷装置に関する。
【０００２】
【従来の技術】
従来、ワードプロセッサやテーププリンタ等の印刷装置では、通常、印刷すべき印刷データは、キー入力操作により文字列データとして入力され、この入力された文字列データがフォントパターンに変換されて印刷データとして作成される。あるいは、外部からインターフェイスを通して入力された画像データが印刷データとして与えられる。そして、この印刷データがサーマルヘッド等の印刷ヘッドに出力されて、ワードプロセッサの場合にはＡ４，Ｂ５等の定型サイズの記録紙に、また、テーププリンタの場合にはカセットに内蔵されているテープ記録紙に対して印刷される。
【０００３】
【発明が解決しようとする課題】
したがって、この種の印刷装置における印刷データは、専らユーザによるキー入力操作や外部からの入力等によって、予め作成されて与えられるものであり、印刷媒体としてセットされる記録紙あるいはカセットの種類毎にその特定の情報を付加して印刷するような印刷装置はなかった。
【０００４】
本発明は、前記のような課題に鑑みなされたもので、印刷媒体が内蔵されるカセットあるいは印刷媒体そのものに応じた特定の情報を付加して印刷することが可能になる印刷装置を提供することを目的とする。
【０００５】
【課題を解決するための手段】
すなわち、本発明の請求項１に係わる印刷装置は、印刷媒体を収納し、夫々が異なるカセット識別情報を有する識別部を備えてなる複数種類のカセットのうちの１つのカセットが装着されるカセット装着手段と、前記カセット装着手段に装着されたカセットの前記識別部からカセット識別情報を検出する検出手段と、印刷すべき任意の文字情報及び登録すべき任意の付加文字情報を入力する入力手段と、情報を記憶する記憶手段と、前記入力手段から入力された登録すべき任意の付加文字情報を前記記憶手段に登録する登録手段と、前記入力手段から入力された印刷すべき任意の文字情報に対して印刷が指示されると、前記検出手段によって検出されたカセット識別情報に対応して登録されている付加文字情報を前記記憶手段から読み出す読出し手段と、前記読出し手段によって前記記憶手段から読み出された付加文字情報を前記入力手段から入力された前記印刷すべき任意の文字情報に付加して印刷する印刷手段とを備えたことを特徴とする。
【００１０】
このように、本発明の請求項１に係わる印刷装置によれば、カセットに設けられた識別部によって、当該カセットに応じた識別情報が検出され、この識別情報に応じた特定の印刷情報が、入力された印刷すべき任意の印刷情報に付加されて、前記カセットに内蔵される印刷媒体に印刷されるので、印刷すべき任意の印刷情報と共にカセットに応じた特定の情報を付加して印刷表記できることになる。そして、カセットに応じて異なる任意の印刷情報を登録することで、装着されるカセット毎に異なる登録印刷情報を、入力された印刷すべき任意の印刷情報に付加して印刷表記できることになる。
【００１５】
【発明の実施の形態】
以下図面により本発明の実施の形態について説明する。
（第１実施形態）
図１は本発明の印刷装置の実施形態に係るテーププリンタの外観構成を示す斜視図である。
【００１６】
図１に図示のように、装置本体１１の上面には、キーボード１２、液晶表示部１３が設けられ、開閉自在の蓋１４でカバーされたカセット収容部１５が設けられる。
【００１７】
キーボード１２は、電源キー１２ａ、文字や記号のデータを入力するための文字／記号入力キー１２ｂ、入力された文字列の印刷処理を実行する際に操作される印刷キー１２ｃ等を備える。
【００１８】
１６は印刷されたテープＴが装置本体１１の外部に排出されるテープ排出口、１６ａは該テープ排出口１６から排出されたテープＴの先頭部分を切断分離してラベルを作成するためのカッタ操作レバーである。
【００１９】
図２は、この実施の形態のテーププリンタの回路構成を示すブロック図である。
図示のように、このテーププリンタは、制御部２１、キーボード１２、ＲＯＭ２２、ＲＡＭ２３、キャラクタジェネレータ２４、液晶表示部１３及びプリンタ部２５から構成されている。
【００２０】
制御部２１は、ＣＰＵ（中央処理装置）によって構成され、キーボード１２、ＲＯＭ２２、ＲＡＭ２３、キャラクタジェネレータ２４、液晶表示部１３、サーマルヘッド２６を駆動するサーマルヘッド駆動回路２８、プラテンローラ３０，テープ供給軸３２，インクリボン巻取軸３１の駆動用ステップモータ２７を駆動するモータ駆動回路２９、カセット４１（図３参照）に収納されたテープＴの種類に応じて異なる形状の該カセット４１に設けられた識別部４１ａを検出するカセットセンサ３４、及び時計回路３５が接続されている。制御部２１は、キーボード１２から入力された制御信号に応答して、ＲＯＭ２２に記憶されているプログラムを実行する。
【００２１】
ＲＯＭ２２は、ＣＰＵ２１が実行する印刷処理を含む種々の処理プログラムを予め記憶し、また必要なデータを予め記憶している。更に詳しくは図４のように、ＲＯＭ２２内には後述する付加データ記憶領域２２ａが確保される。
【００２２】
この付加データ記憶領域２２ａには、前記カセットセンサ３４により検出されるカセット４１に収納されたテープＴの種類に応じた各識別情報Ｓに対応付けて、そのそれぞれの材質や特性を示すメッセージをラベル印刷の付加データとするための文字列情報が予め記憶されている。
【００２３】
ＲＡＭ２３は、ＣＰＵ２１が実行する処理プログラムのワークエリアとして使用される。更に詳しくは図５に示される。図５のように、ＲＡＭ２３内には後述する各種のデータの記憶領域が確保される。
【００２４】
すなわち、２３ａはキーボード１２の文字／記号入力キー１２ｂの操作に応答して入力された印刷すべき文字列データの各文字コードデータを記憶する入力バッファ、２３ｂは液晶表示部１３に表示すべき文字列に対応するビットマップデータを記憶する表示バッファ、２３ｃはプリンタ部２５で印刷すべき文字列データに対応するビットマップデータ（印刷データ）を記憶する印刷バッファである。
【００２５】
また、２３ｄは時計回路３５の計時動作に伴ない入力される計時信号に従い、現在の年月日及び時刻のデータを逐次更新して記憶する計時レジスタである。
次に、図２に戻って、キャラクタジェネレータ２４は、文字／記号入力キー１２ｂから入力される文字，数字或いは記号のコードに対応するビットマップパターンを予め記憶している。
【００２６】
また、表示部１３は、液晶表示装置によって構成され、キーボード１２から入力した文字や印刷される文字列の画像等を表示する。
プリンタ部２５は、熱転写方式によって文字や記号、あるいは画像等をテープＴ上に印刷する。
【００２７】
このプリンタ部２５は、図２の回路構成のブロック図、図３の外観斜視図に示すように、サーマルヘッド２６、ステップモータ２７、サーマルヘッド駆動回路２８、モータ駆動回路２９、プラテンローラ３０、インクリボン巻取軸３１、カセットセンサ３４等から構成されている。
【００２８】
プリンタ部２５には、図３に示すように、それぞれリールに巻かれた帯状のテープＴとインクリボンＲとを収納したカセット４１が着脱可能に装着される。
テープＴは、印刷面を有するテープ材の裏面に貼着剤が塗布され、そこに剥離紙が被着されている。また、テープＴは、該テープＴが収納されるカセット４１によって、異なる材質，特性のものが複数種類用意されており、夫々のカセット４１には、その内部に収納するテープＴの種類を識別するための識別部４１ａがカセットケースのコーナーの突出した部分に設けられている。この識別部４１ａは、テープＴの種類に応じて異なる形状に形成されるものであり、テープＴの種類に応じて穴や切欠の位置を変えることにより下記カセットセンサ３４の複数のマイクロスイッチの異なる組合せで選択的にオン・オフ操作するものである。
【００２９】
カセットセンサ３４は、カセット収納部１５のコーナーに設けられるカセット４１の受け部に設けられ、３本の立設されたマイクロスイッチで構成される。このカセットセンサ３４は、前記カセット４１の識別部４１ａの形状に応じて各マイクロスイッチがＯＮ／ＯＦＦされることで、“０００”〜“１１１”まで８通りの識別情報（信号）Ｓを検出して出力する。
【００３０】
図２及び図３に示すサーマルヘッド２６は、テープＴの幅方向に１列に配列された複数個の発熱体を有する。後述する印刷データに従ってサーマルヘッド駆動回路２８がサーマルヘッド２６を駆動することによって発熱体が発熱し、インクリボンＲに配置されたインクがテープＴに熱転写される。
【００３１】
サーマルヘッド２６は、カセット収容部１５の蓋１４が閉じられると図示しないヘッド移動機構によって軸２６ｂを中心に回転移動して発熱体がインクリボンＲ及びテープＴを介してプラテンローラ３０に押圧される。また、カセット４１の交換等で蓋１４が開けられると、サーマルヘッド２６はプラテンローラ３０から開離する方向に移動する。
【００３２】
ステップモータ２７は、モータ駆動回路２９によって駆動され、図示しない駆動機構を介してプラテンローラ３０，インクリボン巻取軸３１を駆動する。
プラテンローラ３０は、印刷時にサーマルヘッド２６の発熱駆動に対応してステップモータ２７によって回転駆動され、テープＴ及びインクリボンＲを共にテープ排出口１６の方向に向けて搬送する。
【００３３】
インクリボン巻取軸３１は、印刷時にステップモータ２７によってプラテンローラ３０とともに駆動されて、使用済のインクリボンを巻き取る。
カッタ３３は、テープＴへの印字が終了後に、カッタ操作レバー１６ａの操作に応じ手動で動作させられ、印刷データが印刷されたテープＴを適切な位置で切断しラベルとして生成するものである。
【００３４】
図３において、３２ａはカセット４１に収納されるテープＴを巻回するリールの中心が挿入される固定軸であり、また３２ｂはカセット４１に設けられる図示しない位置合わせ穴に挿入してカセット４１の位置決めを行なう位置決めピンである。
【００３５】
次に、前記構成による本発明の第１実施形態に係わるテーププリンタの印刷動作について説明する。
図６は前記テーププリンタによるテープ情報付加印刷処理を示すフローチャートである。
【００３６】
図７は前記テーププリンタのテープ情報付加印刷処理に伴なうラベル生成印刷状態を示す図である。
キーボード１２の文字／記号入力キー１２ｂの操作により印刷すべきデータとして入力された文字列データ（例えば「ＡＢＣ」）が、ＲＡＭ２３内の入力バッファ２３ａに記憶されている状態で、印刷キー１２ｃが操作されて、図６におけるテープ情報付加印刷処理が起動されると、まず、カセットセンサ３４によりカセット４１に収納されるテープＴの材質，特性に応じて検出される識別情報（信号）Ｓが、“０００”か又はそれ以外かが判断される（ステップＡ１）。
【００３７】
このステップＡ１において、前記カセットセンサ３４により検出されたカセット４１のテープＴの材質，特性に応じた識別情報（信号）Ｓが、例えば“００１”であると判断されると、この検出されたカセット４１の識別情報“００１”に対応する文字列情報が、付加データ記憶領域２２ａ（図４参照）から「このラベルは再生紙です」として読み出される（ステップＡ１→Ａ２）。
【００３８】
すると、前記キーボード１２の文字／記号入力キー１２ｂの操作により予め入力されてＲＡＭ２３内の入力バッファ２３ａに記憶された印刷すべき文字列データ「ＡＢＣ」に対して、前記ステップＡ２にてカセット４１におけるテープＴの種類に応じて付加データ記憶領域２２ａから読み出された文字列情報「このラベルは再生紙です」を付加してなる印刷データが、個々の文字データがキャラクタジェネレータ２４より呼び出されるビットマップパターンに変換されることで作成され、ＲＡＭ２３ｃ内の印刷データバッファに記憶される（ステップＡ３）。
【００３９】
すると、前記ＲＡＭ２３内の印刷データバッファ２３ｃに変換生成されたテープＴの種別情報を付加した印刷データが、順次１ライン印刷データずつサーマルヘッド駆動回路２８を介してサーマルヘッド２６の発熱体へ出力されると共に、モータ駆動回路２９によりステップモータ２７が駆動されてプラテンローラ３０及びインクリボン巻取軸３１が回転駆動され、前記カセット４１に収納されているテープＴ及びインクリボンＲが１ドットラインの幅ずつ順次搬送されることで、図７（Ａ）に示すように、再生紙のテープＴを使用していることを付記した印刷データの印刷が行なわれる（ステップＡ４）。印刷が終了したテープＴは、カッタ操作レバー１６ａの操作によるカッタ３３の動作によりラベルとして切断分離される。
【００４０】
また、同様に、前記カセットセンサ３４により検出されたカセット４１におけるテープＴの種類に応じた識別情報Ｓが“１００”であると判断された場合には、この識別情報Ｓ“１００”に対応して前記付加データ記憶領域２２ａから読み出された文字列情報「リサイクル可能素材」を付加してなる印刷データが作成されてＲＡＭ２３ｃ内の印刷データバッファに記憶され、図７（Ｂ）に示すように、リサイクル可能な素材のテープＴを使用していることを付記した印刷データの印刷が行なわれる（ステップＡ１〜Ａ４）。
【００４１】
さらに、同様に、前記カセットセンサ３４により検出されたカセット４１におけるテープＴの種類に応じた識別情報Ｓが“１０１”であると判断された場合には、図７（Ｃ）に示すように、抗菌素材のテープＴを使用していることを付記した印刷データの印刷が行なわれ、カッタ３３によりラベルとして切断分離され、また、前記カセットセンサ３４により検出されたカセット４１におけるテープＴの種類に応じた識別情報Ｓが“１１１”であると判断された場合には、図７（Ｄ）に示すように、剥がしても使えるテープＴを使用していることを付記した印刷データの印刷が行なわれ、カッタ３３によりラベルとして切断分離される。
【００４２】
一方、前記ステップＡ１において、前記カセットセンサ３４により検出されたカセット４１のテープＴの材質，特性に応じた識別情報（信号）Ｓが、例えば“０００”であると判断された場合には、前記ＲＡＭ２３内の入力バッファ２３ａに記憶された印刷すべき文字列データ「ＡＢＣ」のみからなる印刷データが、個々の文字データがキャラクタジェネレータ２４より呼び出されるビットマップパターンに変換されることで作成され、ＲＡＭ２３ｃ内の印刷データバッファに記憶される（ステップＡ１→Ａ５）。
【００４３】
すると、前記ＲＡＭ２３内の印刷データバッファ２３ｃに変換生成された付加データのない印刷データが、順次１ライン印刷データずつサーマルヘッド駆動回路２８を介してサーマルヘッド２６の発熱体へ出力されると共に、モータ駆動回路２９によりステップモータ２７が駆動されてプラテンローラ３０及びインクリボン巻取軸３１が回転駆動され、前記カセット４１に収納されているテープＴ及びインクリボンＲが１ドットラインの幅ずつ順次搬送されることで、印刷データ「ＡＢＣ」のみの印刷が行なわれる（ステップＡ４）。
【００４４】
したがって、前記構成の本発明の第１実施形態に係わるテーププリンタの印刷機能によれば、カセット４１に収納されるテープＴの種類に応じた識別情報Ｓを、該カセット４１に設けた識別部４１ａをカセットセンサ３４により検出することで判断し、各識別情報Ｓに対応付けて付加データ記憶領域２２ａに予め記憶されているテープＴの材質，特性を示す文字列情報を読出し、このテープＴの種別を示す文字列情報を、キーボード１２により入力されて入力バッファ２３ａに記憶されている印刷すべき任意の文字列情報に付加した印刷データを作成してビットマップの印刷パターンデータとして印刷バッファ２３ｃへ記憶させ、プリンタ部２５により前記カセット４１に収納されているテープＴに印刷しカッタ３３により切断分離したラベルを作成するので、ラベルの印刷作成に際し、プリンタ部２５に装着されるカセット４１毎に、そのそれぞれのカセット４１に収納されていれるテープＴの種類を示す特定の文字列情報を自動的に付加して印刷することができる。
【００４５】
なお、前記第１実施形態では、カセット４１に収納されるテープＴの種類に応じた識別情報Ｓを検出判断し、当該テープＴの種別を示す文字列データを印刷データに付加してラベルとして印刷する構成としたが、次の第２実施形態において説明するように、カセット４１毎に異なる識別情報Ｓに対し、それぞれ任意の文字列データを対応付けて登録し、使用するカセット４１によって当該使用カセット４１毎に特定の文字列データを付加して印刷する構成としてもよい。
【００４６】
（第２実施形態）
図８は本発明の第２実施形態に係わるテーププリンタのＲＡＭ２３に備えられるデータ記憶領域を示す図である。
【００４７】
この第２実施形態に係わるテーププリンタのＲＡＭ２３には、さらに、付加データ登録領域２３ｅが追加されて備えられる。
この付加データ登録領域２３ｅには、カセット４１の識別部４１ａの形状に応じてカセットセンサ３４により検出される各識別情報Ｓのそれぞれに対応付けられて、任意の文字列データがユーザーにより登録されて記憶される。
【００４８】
図９は本発明の第２実施形態に係わるテーププリンタにおける付加データ登録処理を示すフローチャートである。
図９における付加データ登録処理が起動されると、カセット４１毎に異なる印刷付加用の文字列データを登録するための入力要求画面が液晶表示部１３に表示される（ステップＳ１）。
【００４９】
なお、この入力要求画面には、印刷付加用の文字データを現在の日付又は現在の時刻として登録するための「日付」「時刻」の選択項目が設けられている。
ここで、前記液晶表示部１３に表示された印刷付加用の文字データ入力要求画面に従って、前記「日付」又は「時刻」の項目を選択するか、あるいはキーボード１２の文字／記号入力キー１２ｂを操作して任意の文字列データを入力すると、プリンタ部２５に対して現在装着されているカセット４１の識別部４１ａに応じた識別情報Ｓが、カセットセンサ３４により検出されて判断される（ステップＳ２，Ｓ３）。
【００５０】
すると、前記カセットセンサ３４により検出された現在の装着カセット４１に対応する識別情報Ｓに対応付けられて、ＲＡＭ２３内の付加データ登録領域２３ｅに対して既に登録されている付加データが存在するか否か判断される（ステップＳ４）。
【００５１】
ここで、前記付加データ登録領域２３ｅにおいて、カセットセンサ３４により検出された装着カセット４１の識別情報Ｓに対応付けられて登録されている付加データは無いと判断された場合には、登録するか取り消すかの選択項目からなるを確認画面が液晶表示部１３に表示され、「登録」が選択されると、前記付加データ登録領域２３ｅに対し、現在の装着カセット４１に対応する識別情報Ｓに対応付けて、前記ステップＳ２において付加データとして入力された「日付」又は「時刻」の項目情報、あるいは任意の文字列データが記憶されて登録される（ステップＳ４→Ｓ５，Ｓ６→Ｓ７）。
【００５２】
一方、前記ステップＳ４において、カセットセンサ３４により検出された装着カセット４１の識別情報Ｓに対応付けられて既に登録されている付加データが有ると判断された場合には、これに上書きして再登録するか取り消すかの選択項目からなる確認画面が液晶表示部１３に表示され、「登録」が選択されると、前記付加データ登録領域２３ｅに対し、現在の装着カセット４１に対応する識別情報Ｓに対応付けて、前記ステップＳ２において付加データとして入力された「日付」又は「時刻」の項目情報、あるいは任意の文字列データが上書きにより記憶されて再登録される（ステップＳ４→Ｓ８，Ｓ９→Ｓ１０）。
【００５３】
すなわち、例えば図８に示すように、プリンタ部２５に対して識別情報Ｓが“００１”として検出されるカセット４１を装着し、前記印刷付加用の文字データ入力要求画面に従い「日付」の項目を選択すると、ＲＡＭ２３内の付加データ登録領域２３ｅには、識別情報Ｓ“００１”に対応付けられて「日付」の項目情報が登録され、また、例えばプリンタ部２５に対して識別情報Ｓが“０１１”として検出されるカセット４１を装着し、前記印刷付加用の文字データ入力要求画面に従い「総務部発行」の文字列データを入力すると、ＲＡＭ２３内の付加データ登録領域２３ｅには、識別情報Ｓ“０１１”に対応付けられて「総務部発行」の文字列データが登録される。
【００５４】
図１０は前記テーププリンタによる登録データ付加印刷処理を示すフローチャートである。
図１１は前記テーププリンタの登録データ付加印刷処理に伴なうラベル生成印刷状態を示す図である。
【００５５】
キーボード１２の文字／記号入力キー１２ｂの操作により印刷すべきデータとして入力された文字列データ（例えば「ＡＢＣ」）が、ＲＡＭ２３内の入力バッファ２３ａに記憶されている状態で、印刷キー１２ｃが操作されて、図１０における登録データ付加印刷処理が起動されると、まず、カセットセンサ３４によりカセット４１の識別部４１ａの形状に応じて検出される識別情報（信号）Ｓが、“０００”か又はそれ以外かが判断される（ステップＢ１）。
【００５６】
このステップＢ１において、前記カセットセンサ３４により検出されたカセット４１の種類に応じた識別情報（信号）Ｓが、例えば“００１”であると判断されると、この検出されたカセット４１の識別情報“００１”に対応する登録情報が、ＲＡＭ２３内の付加データ登録領域２３ｅ（図８参照）から「日付」の項目情報として読み出され、これに従い、現在の年月日データが計時レジスタ２３ｄより読み出される（ステップＢ１→Ｂ２）。
【００５７】
すると、前記キーボード１２の文字／記号入力キー１２ｂの操作により予め入力されてＲＡＭ２３内の入力バッファ２３ａに記憶された印刷すべき文字列データ「ＡＢＣ」に対して、前記ステップＢ２にてカセット４１の種類に応じて付加データ登録領域２３ｅから読み出された現在の日付を示す文字列情報「Ｈ１０・４・１」を付加してなる印刷データが、個々の文字データがキャラクタジェネレータ２４より呼び出されるビットマップパターンに変換されることで作成され、ＲＡＭ２３ｃ内の印刷データバッファに記憶される（ステップＢ３）。
【００５８】
すると、前記ＲＡＭ２３内の印刷データバッファ２３ｃに変換生成された現在の日付情報を付加した印刷データが、順次１ライン印刷データずつサーマルヘッド駆動回路２８を介してサーマルヘッド２６の発熱体へ出力されると共に、モータ駆動回路２９によりステップモータ２７が駆動されてプラテンローラ３０及びインクリボン巻取軸３１が回転駆動され、前記カセット４１に収納されているテープＴ及びインクリボンＲが１ドットラインの幅ずつ順次搬送されることで、図１１（Ａ）に示すように、現在の日付「Ｈ１０・４・１」を付記した印刷データの印刷が行なわれる（ステップＢ４）。印刷済のテープＴは、その後適時カッタ操作レバー１６ａの操作によるカッタ３３の動作によりラベルとして切断分離される。
【００５９】
また、同様に、前記カセットセンサ３４により検出されたカセット４１の種類に応じた識別情報Ｓが“０１０”であると判断された場合には、この識別情報Ｓ“０１０”に対応して前記付加データ登録領域２３ｅから読み出された現在の時刻を示す文字列情報「３：３０  ＰＭ」を付加してなる印刷データが作成されてＲＡＭ２３ｃ内の印刷データバッファに記憶され、図１１（Ｂ）に示すように、現在時刻「３：３０  ＰＭ」を付記した印刷データの印刷が行なわれる（ステップＢ１〜Ｂ４）。
【００６０】
さらに、同様に、前記カセットセンサ３４により検出されたカセット４１の種類に応じた識別情報Ｓが“０１１”であると判断された場合には、図１１（Ｃ）に示すように、「総務部発行」と付記した印刷データの印刷が行なわれる。
【００６１】
一方、前記ステップＢ１において、前記カセットセンサ３４により検出されたカセット４１の識別情報（信号）Ｓが、例えば“０００”であると判断された場合には、前記ＲＡＭ２３内の入力バッファ２３ａに記憶された印刷すべき文字列データ「ＡＢＣ」のみからなる印刷データが、個々の文字データがキャラクタジェネレータ２４より呼び出されるビットマップパターンに変換されることで作成され、ＲＡＭ２３ｃ内の印刷データバッファに記憶される（ステップＢ１→Ｂ５）。
【００６２】
すると、前記ＲＡＭ２３内の印刷データバッファ２３ｃに変換生成された付加データのない印刷データが、順次１ライン印刷データずつサーマルヘッド駆動回路２８を介してサーマルヘッド２６の発熱体へ出力されると共に、モータ駆動回路２９によりステップモータ２７が駆動されてプラテンローラ３０及びインクリボン巻取軸３１が回転駆動され、前記カセット４１に収納されているテープＴ及びインクリボンＲが１ドットラインの幅ずつ順次搬送されることで、印刷データ「ＡＢＣ」のみの印刷が行なわれる（ステップＢ４）。
【００６３】
したがって、前記構成の本発明の第２実施形態に係わるテーププリンタの印刷機能によれば、例えば利用場所の異なるカセット４１に応じた識別情報Ｓを、各カセット４１に設けた識別部４１ａをカセットセンサ３４により検出することで判断し、各識別情報Ｓに対応付けてＲＡＭ２３内の付加データ登録領域２３ｅに予め登録させた各利用場所毎に特定の文字列情報を読出し、この文字列情報を、キーボード１２により入力されて入力バッファ２３ａに記憶されている印刷すべき文字列情報に付加した印刷データを作成してビットマップの印刷パターンデータとして印刷バッファ２３ｃへ記憶させ、プリンタ部２５により前記カセット４１に収納されているテープＴに印刷しカッタ３３により切断分離したラベルを作成するので、ラベルの印刷作成に際し、プリンタ部２５に装着されるカセット４１毎に、そのそれぞれのカセット４１の利用場所に応じて必要な特定の文字列情報を自動的に付加して印刷することができる。
【００６４】
なお、前記第１実施形態では、カセット４１に収納されるテープＴの種類を示す文字列情報を印刷データに付加してラベルとして印刷出力し、また、前記第２実施形態では、各カセット４１の利用場所に応じた特定の文字列情報を印刷データに付加してラベルとして印刷出力する構成としたが、プリンタ部２５に装着される各カセット４１毎の識別情報Ｓを検出して、印刷データをそれぞれ異なる印刷フォーマットで印刷バッファ２３ｃに展開して印刷出力する構成としてもよい。
【００６５】
さらに、前記第１実施形態では、カセット４１の識別部４１ａをカセットセンサ３４により検出してその識別情報Ｓを判断し、当該カセット４１に収納されるテープＴの種類を示す文字列データを付加データ記憶領域２２ａより読み出し、印刷データに付加して印刷出力する構成としたが、各テープＴの種類を識別するための識別マークを、例えばテープＴそのものの裏面等に付け、このテープＴに付された識別マークを光学的テープセンサにより検出して、各識別マークに応じた特定の印刷情報を付加して印刷する構成としてもよい。
【００６６】
【発明の効果】
以上のように、本発明の請求項１に係わる印刷装置によれば、カセットに設けられた識別部によって、当該カセットに応じた識別情報が検出され、この識別情報に応じた特定の印刷情報が、入力された印刷すべき任意の印刷情報に付加されて、前記カセットに内蔵される印刷媒体に印刷されるので、印刷すべき任意の印刷情報と共にカセットに応じた特定の情報を付加して印刷表記できるようになる。また、カセットに応じて異なる任意の印刷情報を登録することで、装着されるカセット毎に異なる登録印刷情報を、入力された印刷すべき印刷情報に付加して印刷表記できるようになる。
【図面の簡単な説明】
【図１】本発明の印刷装置の実施形態に係るテーププリンタの外観構成を示す斜視図。
【図２】前記テーププリンタの電子回路の構成を示すブロック図。
【図３】前記テーププリンタにおけるプリンタ部の外観構成を示す斜視図。
【図４】前記テーププリンタの電子回路に備えられるＲＯＭの付加データ記憶領域における付加データ記憶登録状態を示す図。
【図５】前記テーププリンタのＲＡＭに備えられるデータ記憶領域を示す図。
【図６】前記テーププリンタによるテープ情報付加印刷処理を示すフローチャート。
【図７】前記テーププリンタのテープ情報付加印刷処理に伴なうラベル生成印刷状態を示す図。
【図８】本発明の第２実施形態に係わるテーププリンタのＲＡＭに備えられるデータ記憶領域を示す図。
【図９】本発明の第２実施形態に係わるテーププリンタにおける付加データ登録処理を示すフローチャート。
【図１０】前記テーププリンタによる登録データ付加印刷処理を示すフローチャート。
【図１１】前記テーププリンタの登録データ付加印刷処理に伴なうラベル生成印刷状態を示す図。
【符号の説明】
１１  …装置本体、
１２  …キーボード、
１２ａ…電源キー、
１２ｂ…文字／記号入力キー、
１２ｃ…印刷キー、
１３  …液晶表示部、
１４  …プリンタ部の蓋、
１５  …カセット収容部、
１６  …テープ排出口、
１６ａ…カッタ操作レバー、
２１  …制御部（ＣＰＵ）、
２２  …ＲＯＭ、
２２ａ…付加データ記憶領域、
２３  …ＲＡＭ、
２３ａ…入力バッファ、
２３ｂ…表示バッファ、
２３ｃ…印刷バッファ、
２３ｄ…計時レジスタ、
２３ｅ…付加データ登録領域、
２４  …キャラクタジェネレータ、
２５  …プリンタ部、
２６  …サーマルヘッド、
２７  …ステップモータ、
２８  …サーマルヘッド駆動回路、
２９  …モータ駆動回路、
３０  …プラテンローラ、
３１  …インクリボン巻取軸、
３２ａ…固定軸、
３２ｂ…位置決めピン、
３３  …カッタ、
３４  …カセットセンサ、
３５  …時計回路、
４１  …カセット、
４１ａ…識別部、
Ｔ  …テープ、
Ｒ  …インクリボン。
【図１】
0004521890.tif 000002
【図２】
0004521890.tif 000003
【図３】
0004521890.tif 000004
【図４】
0004521890.tif 000005
【図５】
0004521890.tif 000006
【図６】
0004521890.tif 000007
【図７】
0004521890.tif 000008
【図８】
0004521890.tif 000009
【図９】
0004521890.tif 000010
【図１０】
0004521890.tif 000011
【図１１】
0004521890.tif 000012